(57)【要約】【課題】遊技盤に可変始動入賞口と可変大入賞口が設けられたパチンコ遊技機におけるＣＰＵにかかる負担を軽減する。【解決手段】遊技盤１に通過ゲート３と普通図柄表示器４と可変始動入賞口５と特別図柄表示器６と可変大入賞口７が設けられ、遊技球が通過ゲートを通過することにより普通図柄表示器の表示が更新され所定図柄で停止すると小当たりとなって可変始動入賞口が短時間開成し、該可変始動入賞口に遊技球が入賞することにより特別図柄表示器の表示が更新され特定図柄で停止すると大当たりとなり可変大入賞口が継続的に開成するパチンコ遊技機において、通過ゲートを遊技球が通過したとき及び可変始動入賞口に遊技球が入賞したときに共用の乱数カウンタ１３から乱数値を取得するとともに、通過ゲートを通過したときに取得された乱数値を小当たり判定テーブル１６に従って判定することで可変始動入賞口の開閉を制御し、可変始動入賞口に遊技球が入賞したときに取得された乱数値を大当たり判定テーブル１８に従って判定することで可変大入賞口の開閉を制御する。【選択図】  図２
2004201802.tif 000002
【特許請求の範囲】
【請求項１】
所定条件を満たすことにより小当たりとなり遊技球を入賞し易くする可変始動入賞口と、所定条件を満たすことにより大当たりとなり遊技球を入賞し易くする可変大入賞口が設けられたパチンコ遊技機において、小当たりを判定するための乱数カウンタと大当たりを判定するための乱数カウンタとを兼用したことを特徴とするパチンコ遊技機。
【請求項２】
遊技盤に通過ゲートと普通図柄表示器と可変始動入賞口と特別図柄表示器と可変大入賞口が設けられ、遊技球が通過ゲートを通過することにより普通図柄表示器の表示が更新され所定図柄で停止すると小当たりとなって可変始動入賞口が短時間開成し、該可変始動入賞口に遊技球が入賞することにより特別図柄表示器の表示が更新され特定図柄で停止すると大当たりとなり可変大入賞口が継続的に開成するパチンコ遊技機において、通過ゲートを遊技球が通過したとき及び可変始動入賞口に遊技球が入賞したときに共用の乱数カウンタから乱数値を取得するとともに、通過ゲートを通過したときに取得された乱数値を小当たり判定テーブルに従って判定することで可変始動入賞口の開閉を制御し、可変始動入賞口に遊技球が入賞したときに取得された乱数値を大当たり判定テーブルに従って判定することで可変大入賞口の開閉を制御することを特徴としたパチンコ遊技機。
【請求項３】
大当たりの発生確率が低確率状態または高確率状態のいずれかに設定される請求項１または２に記載のパチンコ遊技機であって、低確率状態では通過ゲートを遊技球が通過したときに取得した乱数値が所定値であった場合に可変始動入賞口に遊技球を入賞し易くすると共に、高確率状態では通過ゲートを遊技球が通過したときに取得した乱数値が所定値以外であった場合に可変始動入賞口に遊技球を入賞し易くすることを特徴としたパチンコ遊技機。
【発明の詳細な説明】
【０００１】
【発明の属する技術分野】
本発明は遊技盤に可変始動入賞口と可変大入賞口が設けられたパチンコ遊技機に関するものである。
【０００２】
【従来の技術】
【特許文献１】
特許第３０３９７６５号公報
【０００３】
遊技盤に、遊技球が通過し得る通過ゲートと、セグメント表示器等の普通図柄表示器と、ソレノイドの作動により一対の可動翼片を開閉させるチューリップ型の可変始動入賞口と、カラー液晶表示器等の特別図柄表示器と、ソレノイドの作動により横長の開閉扉を開閉させる可変大入賞口が設けられ、遊技球が前記通過ゲートを通過することにより普通図柄表示器の数字表示が更新され、例えば「１」または「３」または「５」等の奇数図柄で停止すると小当たりとなって前記可変始動入賞口が短時間（例えば０．３秒）開成し、開成した該可変始動入賞口に遊技球が入賞すると前記特別図柄表示器における３列の表示図柄が変動を開始し、「６６６」または「７７７」等の特定図柄でその変動が停止すると大当たりとなり、前記可変大入賞口が継続的に開成するパチンコ遊技機は、上記特許文献１等により知られている。
【０００４】
【発明が解決しようとする課題】
ところで、この種の従来のパチンコ遊技機では、通過ゲートを遊技球が通過したときに乱数値を取得する乱数カウンタと、可変始動入賞口を遊技球が通過したときに乱数値を取得する乱数カウンタとが別個に設けられたものであったので、ＣＰＵにかかる負担が大きく、その処理能力が問題となるものであった。
そこで本発明のパチンコ遊技機は、従来と同様の機能を備えつつもＣＰＵの負担を軽減し得るようにするものである。
【０００５】
【課題を解決するための手段】
そのために本発明は、所定条件を満たすことにより小当たりとなり遊技球を入賞し易くする可変始動入賞口と、所定条件を満たすことにより大当たりとなり遊技球を入賞し易くする可変大入賞口が設けられたパチンコ遊技機において、小当たりを判定するための乱数カウンタと大当たりを判定するための乱数カウンタとを兼用したことを特徴とする。
また本発明は、遊技盤に通過ゲートと普通図柄表示器と可変始動入賞口と特別図柄表示器と可変大入賞口が設けられ、遊技球が通過ゲートを通過することにより普通図柄表示器の表示が更新され所定図柄で停止すると小当たりとなって可変始動入賞口が短時間開成し、該可変始動入賞口に遊技球が入賞することにより特別図柄表示器の表示が更新され特定図柄で停止すると大当たりとなり可変大入賞口が継続的に開成するパチンコ遊技機において、通過ゲートを遊技球が通過したとき及び可変始動入賞口に遊技球が入賞したときに共用の乱数カウンタから乱数値を取得するとともに、通過ゲートを通過したときに取得された乱数値を小当たり判定テーブルに従って判定することで可変始動入賞口の開閉を制御し、可変始動入賞口に遊技球が入賞したときに取得された乱数値を大当たり判定テーブルに従って判定することで可変大入賞口の開閉を制御することを特徴とする。
また本発明は、大当たりの発生確率が低確率状態または高確率状態のいずれかに設定される上記パチンコ遊技機であって、低確率状態では通過ゲートを遊技球が通過したときに取得した乱数値が所定値であった場合に可変始動入賞口に遊技球を入賞し易くすると共に、高確率状態では通過ゲートを遊技球が通過したときに取得した乱数値が所定値以外であった場合に可変始動入賞口に遊技球を入賞し易くすることを特徴とする。
【０００６】
【発明の実施の形態】
次に請求項１及び２に記載の発明の実施形態を説明する。図１にこのパチンコ遊技機における遊技盤１の正面を示す。図中、２は普通入賞口、３は通過ゲート、４は小当たり抽選用の普通図柄表示器で、該普通図柄表示器は表面に「○」が表示された発光ダイオードと「×」が表示された発光ダイオードとからなる。また、５は一対の可動翼片がソレノイドの作動により開閉動するチューリップ型の可変始動入賞口、６はカラー液晶ディスプレイからなる大当たり抽選用の特別図柄表示器、７は大当たり時にソレノイドの作動により横長の開閉扉８が開いて遊技球が入賞し得るようにする可変大入賞口である。
【０００７】
また、９は４つの表示ランプからなる変動保留表示装置で、該変動保留表示装置は普通図柄表示器４が変動中（点滅中）であるときに通過ゲート３を遊技球が通過することで新たに始動条件が成立した場合に該普通図柄表示器４がその変動を終了した後にその始動条件成立に基づく図柄変動を開始させるためその始動条件の成立を記憶し４つの表示ランプを順次点灯させる。また、１０は同じく４つの表示ランプからなる変動保留表示装置で、該変動保留表示装置は特別図柄表示器６が図柄変動中であるときに可変始動入賞口５に遊技球が入賞することで新たに始動条件が成立した場合に該特別図柄表示器６がその変動を終了した後にその始動条件成立に基づく図柄変動を開始させるためその始動条件の成立を記憶し４つの表示ランプを順次点灯させる。
【０００８】
図２はＣＰＵ，ＲＯＭ，ＲＡＭ，Ｉ／Ｏからなる遊技制御基板により構成される本発明に係る制御回路のブロック図で、１１は通過ゲート３を遊技球が通過するのを検出する球センサ、１２は可変始動入賞口５に遊技球が入賞するのを検出する球センサ、１３はＣＰＵ内に構成されクロックパルスにより更新される乱数カウンタである。通過ゲート３を遊技球が通過したとき乱数カウンタ１３から「０」〜「６２９」のいずれかの乱数値を取得しその乱数値を記憶領域１４に記憶する。また、可変始動入賞口５に遊技球が入賞したときにも乱数カウンタ１３から「０」〜「６２９」のいずれかの乱数値を取得しその乱数値を記憶領域１５に記憶する。
【０００９】
また、１６は記憶領域１４に記憶された乱数値を判定する小当たり判定テーブル、１７はその判定結果記憶手段で、該小当たり判定テーブルはその乱数値が「小当たり」をもたらす乱数値として予め決められた「１」「３」「５」……「６２７」「６２９」といった奇数か或いはそうでない（偶数）かを判定し、その結果を判定結果記憶手段１７に記憶する。なお、この場合「小当たり」となる確率は１／２である。
また、１８は記憶領域１５に記憶された乱数値を判定する大当たり判定テーブル、１９はその判定結果記憶手段で、該大当たり判定テーブルはその乱数値が大当たりをもたらす乱数値として予め決められた「３」または「３１７」か或いはそうでないかを判定し、その結果を判定結果記憶手段１９に記憶する。なお、この場合「大当たり」となる確率は２／６３０である。
【００１０】
また、前記普通図柄表示器４は通過ゲート３を遊技球が通過し、球センサ１１により検知されると、「○」と「×」が表示された発光ダイオードが交互に点滅し、数秒後に前記判定結果に従い、「小当たり」であったら「○」が点灯した状態で停止し、可変始動入賞口５の一対の可動翼片がソレノイドの作動により０．５秒間だけ開いて閉じ、「小当たり」でなかったときは「×」が点灯した状態で停止し、可変始動入賞口５は全く開かない。
【００１１】
そして可変始動入賞口５が０．５秒間開いたときに遊技球が入賞し該遊技球が球センサ１２により検知されると、特別図柄表示器６に１〜８の数字および☆◆◎等の記号またはキャラクター等の図柄が３列にて変動表示され、その表示の変動は数秒後に前記判定結果に従い停止し、「大当たり」であったらその停止図柄が「２２２」「７７７」「☆☆☆」等の特定図柄で停止し、可変大入賞口７の開閉扉８がソレノイドの作動により継続的に開かれ、いわゆる大当たり動作をすることにより多数の遊技球が該可変大入賞口７内に入賞し得るようになる。なお、図３は以上の作動を纏めて示すフローチャートである。
【００１２】
次に請求項３に記載の発明の実施形態を説明する。大当たりをもたらした停止図柄が「３３３」「５５５」「７７７」等の奇数にて揃っていた場合、或いはこうしたことを条件とすることなく、その大当たり動作が終った後に大当たりの発生確率が通常の低確率状態から高確率状態に移行するようにしたパチンコ遊技機は従来から知られているが、請求項３に記載の発明では、この低確率状態であるときは通過ゲート３を遊技球が通過したときに取得した乱数値が大当たり発生条件と同じく「３」または「３１７」であった場合に変始動入賞口５の可動翼片を開かせ遊技球を入賞し易くすると共に、高確率状態であるときは通過ゲート３を遊技球が通過したときに取得した乱数値が「３」「６７」「１３１」「１９１」「２５１」「３１７」「３７９」「４４３」「５０３」「５６９」以外であった場合に可変始動入賞口５の可動翼片を開かせ遊技球を入賞し易くする。
また、低確率状態であるときは、遊技球が可変始動入賞口５に入賞し取得された乱数値が「３」または「３１７」であった場合に大当たりを発生させるが、高確率状態であるときは、乱数値を「３」「６７」「１３１」「１９１」「２５１」「３１７」「３７９」「４４３」「５０３」「５６９」のいずれかに設定することにより、大当たり発生の確率を前記２／６３０から１０／６３０に上昇させ、遊技者に有利性を与える。
【００１３】
なお、表１はこれを纏めたものである。
【表１】
2004201802.tif 000003
【００１４】
このように、大当たりの発生確率が低確率状態または高確率状態のいずれかに設定されるパチンコ遊技機においては、低確率状態では通過ゲート３を遊技球が通過したときに取得した乱数値が所定値であった場合に可変始動入賞口５に遊技球を入賞し易くすると共に、高確率状態では通過ゲート３を遊技球が通過したときに取得した乱数値が所定値以外であった場合に可変始動入賞口５に遊技球を入賞し易くすることができる。図４はこうした可変始動入賞口５の作動を示したフローチャートである。そして本発明はこのようなプログラミング設定をした場合でも作動中のＣＰＵ内で乱数カウンタが占める仕事割合を低減させることができる。
【００１５】
なお、この実施形態では「○」「×」が交互点滅する形態の普通図柄表示器について説明したが、従来からある７セグメント表示装置のように数字を変動表示しその停止数字の如何によって可変始動入賞口５を開閉作動させる形態のものにも適用できる。
【００１６】
【発明の効果】
このように本発明のパチンコ遊技機は、小当たりを判定するための乱数カウンタと大当たりを判定するための乱数カウンタとを兼用することにより、ＣＰＵにかかる負担が軽くなるので、ＣＰＵに余力ができ、遊技機全体の作動の的確性が得られるとともに、コストが軽減されるなど有益な効果がある。
【図面の簡単な説明】
【図１】本発明に係るパチンコ遊技機の遊技盤の実施形態を示す正面図。
【図２】本発明に係るパチンコ遊技機の実施形態を示すブロック図。
【図３】本発明の実施形態を示すパチンコ遊技機のフローチャート。
【図４】本発明の実施形態を示すパチンコ遊技機のフローチャート。
【符号の説明】
１          遊技盤
３          通過ゲート
４          普通図柄表示器
５          可変始動入賞口
６          特別図柄表示器
７          可変大入賞口
１１，１２  球センサ
１３        乱数カウンタ
１６        小当たり判定テーブル
１８        大当たり判定テーブル
【図１】
2004201802.tif 000004
【図２】
2004201802.tif 000005
【図３】
2004201802.tif 000006
【図４】
2004201802.tif 000007